(57)【要約】【課題】固定フレームと可動フレームとからなる浴槽用手摺りにおいて、ビス止め等による固定手段により、可動フレームを固定フレームから離脱させることなく、固定フレームとの間の間隔を円滑にスライド調整できるようにされた浴槽用手摺りを提供する。【解決手段】本発明によれば、浴槽側壁の上面に載置される固定フレームと、固定フレームの上にスライド可能に取り付けられる可動フレームとからなる浴槽用手摺りにおいて、ビス（ネジ）止め手段へ特定の位置に配置した可動フレーム上のスリットと貫通孔とを組み合わせることにより、可動フレームを固定フレームから離脱させることなく円滑且つ一方向にスライド可能にした浴槽用手摺りが提供される。【選択図】  図４
2019054893.tif 000002
【特許請求の範囲】
【請求項１】
浴槽側壁の上面に直置きされる載置部と、前記載置部に連結されており浴槽側壁の一方の側面へ当接される当接基部とを有しており、浴槽側壁上に配置される手摺りが取り付けられている固定フレームと、
前記固定フレームの上にスライド可能に取り付けられるスライド部と、前記スライド部に連結された支持部とを有している可動フレームであって、前記可動フレームは、
浴槽側壁の他方の側面を押圧するための押圧部と、前記押圧部を前記支持部に対して近接離反させるために前記支持部に取り付けられた移動装置とを有しており、そして
前記固定フレームの前記載置部の上面には、前記可動フレームのスライド方向に沿って等ピッチに配列された複数の固定用ネジ穴と、前記固定用ネジ穴の配列方向と直行する方向であって前記固定用ネジ穴の配列を挟んで左右両側に配置された１対のガイド用固定穴とが設けられ、
前記可動フレームの前記スライド部には、互いに平行であって前記可動フレームのスライド方向へ延びている１対のスリットと、前記１対のスリットの間で前記可動フレームのスライド方向に沿って前記固定用ネジ穴と同じピッチで配列されている複数の貫通孔が設けられており、前記貫通孔は、
両端に配列された２つの貫通孔間の距離が前記スリットの長さよりも長く且つ前記固定用ネジ穴の数よりも多く設けられており、そして
前記２つのスリットのそれぞれへ、前記スリットの幅よりも大きな直径の頭部を有するガイド用ピンを前記スリットを通して前記ガイド用固定穴に取り付けることにより、前記可動フレームは、前記固定フレームから離脱することなくそのスライド方向が一方向へ規制され、
前記貫通孔を通して固定用ネジを前記固定用ネジ穴へ取り付けることにより、前記可動フレームは、前記固定フレームへ固定されることを特徴とする浴槽用手摺り。
【請求項２】
前記ガイド用固定穴は、前記固定用ネジ穴の配列に対して左右対称の位置に配置されていることを特徴とする請求項１に記載の浴槽用手摺り。
【請求項３】
前記ガイド用固定穴はネジ穴であり、且つ前記ガイド用ピンはネジであることを特徴とする請求項１又は２に記載の浴槽用手摺り。
【請求項４】
隣り合う前記固定用ネジ穴のピッチをｐとした時、両端に配列された２つの貫通孔間の距離は、前記スリットの長さよりもｐ以上長いことを特徴とする請求項１ないし３のいずれか１項に記載の浴槽用手摺り。
【請求項５】
前記可動フレームの前記スライド部の幅は、前記固定フレームの前記載置部の幅よりも短いことを特徴とする請求項１ないし４のいずれか１項に記載の浴槽用手摺り。
【請求項６】
前記可動フレームは、前記可動フレームを前記固定フレームへ取付けた時、前記固定フレームの底面と略同じレベルとなる下端部を備えたスカートを備えていることを特徴とする請求項５に記載の浴槽用手摺り。
【請求項７】
前記スカートは、前記可動フレームの底面から下方へ且つ前記可動フレームのスライド方向へ延びていることを特徴とする請求項６に記載の浴槽用手摺り。
【請求項８】
前記固定フレームは、前記スカートをスライド方向に受け入れることができるスリットを備えていることを特徴とする請求項６又は７に記載の浴槽用手摺り。
【請求項９】
前記移動装置は、前記可動フレームの前記支持部へ回動可能に取り付けられたナットと、前記ナットを回動するためのハンドルノブと、そして先端部が前記押圧部に連結されており且つ前記ナットに螺合するボルトとから構成されていることを特徴とする請求項１ないし８のいずれか１項に記載の浴槽用手摺り。
【請求項１０】
前記当接基部は浴槽側壁の一方の側面へ直接に当接される当接部を有しており、前記当接部と前記押圧部により浴槽側壁をクランプした時、前記当接部の下端は、前記押圧部の下端よりも上方に配置されることを特徴とする請求項１ないし９のいずれか１項に記載の浴槽用手摺り。
【発明の詳細な説明】
【技術分野】
【０００１】
本発明は、浴槽側壁の上面に載置される固定フレームと、固定フレームの上にスライド可能に取り付けられる可動フレームとからなる浴槽用手摺りにおいて、ビス（ネジ）止め手段へ特定の位置に配置した可動フレーム上のスリットと貫通孔とを組み合わせることにより、可動フレームを固定フレームから離脱させることなく円滑且つ一方向にスライド可能にした浴槽用手摺りに関する。
【背景技術】
【０００２】
従来より、高齢者等が浴槽に出入りする際に身体を容易に支持することができるように、浴槽側壁を洗い場側及び浴槽側からクランプすることによって着脱自在に取り付けることができる浴槽用手摺りが知られている。
【０００３】
また、これらの浴槽用手摺りの多くは、浴槽側壁をクランプするために前進後退する押圧部が、例えば特開２０１５−１３１１２２号公報（特許文献１）に記載されているように固定フレームに取り付けられているタイプと、例えば特開２００５−７０１１号公報（特許文献２）に記載されているように可動フレームに取り付けられているタイプとがある。
【０００４】
これらの浴槽用手摺りにおいて、浴槽側壁の厚みに合わせるために押圧部のみを移動させていたのでは浴槽用手摺りの取り付けに手間が掛かり、浴槽用手摺り本体も大型化してしまうことになる。このため、一般的には、浴槽用手摺り本体を浴槽側壁の上面に載置される固定フレームと、固定フレームの上に取り付けられる可動フレームとへ分離し、予め浴槽側壁の厚みに合わせて固定フレームと可動フレームとの間隔を調節できるようにしている。
【０００５】
ところが、特許文献１及び２に記載されているような固定フレームに対して可動フレームをビス止めするタイプの浴槽用手摺りの場合、固定フレームと可動フレームとの間隔を調節するためにビスを取り外している状態では、可動フレームは固定フレームから容易に脱離してしまうので、実質的に可動フレームを固定フレームに対して円滑にスライドさせてそれらの間隔を調節することができないという問題があった。
【０００６】
また、可動フレームを固定フレームに対しスライド可能にするためには、可動フレームのスライド（水平）片と摺接するリブを前記スライド（水平）片の片側又は両側又に配置しなければならないので、構造が複雑となって高価になるという問題があった。
【０００７】
一方、可動フレームを固定フレームへ固定していない状態においても、可動フレームを固定フレームから離脱させることなくそれらの間隔を円滑にスライド調節できるように改良された浴槽用手摺りとして、例えば特開２０１０−２４６６９１号公報（特許文献３）に記載されているように、固定フレームの上面上に可動フレームのスライド片を受け入れるための筒状部を設けた浴槽用手摺りが知られている。
【０００８】
しかしながら、特許文献３に記載されているような固定フレームの上面上に可動フレームのスライド片を受け入れるための筒状部を設けたタイプの浴槽用手摺りの場合は、製造工程や構造が複雑となり製品が高価となるだけでなく、筒状部を設けた部分の固定フレームの厚みが増大する結果、固定フレームの上面上に実質的に隙間なく風呂蓋を載置することができなくなるという問題もあった。
【先行技術文献】
【特許文献】
【０００９】
【特許文献１】特開２０１５−１３１１２２号公報
【特許文献２】特開２００５−７０１１号公報
【特許文献３】特開２０１０−２４６６９１号公報
【発明の概要】
【発明が解決しようとする課題】
【００１０】
そこで、本発明は、浴槽側壁の上面に載置される固定フレームと、固定フレームの上に取り付けられる可動フレームとからなる浴槽用手摺りにおいて、ビス止め等による簡単な固定手段を採用した場合においても、固定フレームと可動フレームとの間の間隔を、可動フレームを固定フレームから離脱させることなく円滑にスライド調整できるようにした浴槽用手摺りを提供することを目的とする。
【課題を解決するための手段】
【００１１】
本発明者等は、固定フレームと可動フレームとからなる浴槽用手摺りにおいて、可動フレームの固定フレームに対するビス止め等による固定手段、スリットを用いたスライド手段などについて鋭意検討を重ねた結果、ビス（ネジ）止め手段へ特定の位置に配置した可動フレーム上のスリットと貫通孔とを組み合わせることにより、上記の課題を効果的に解決できることを見出し、本発明を完成させるに至った。
【００１２】
すなわち、本発明によれば、浴槽側壁の上面に直置きされる載置部と、前記載置部に連結されており浴槽側壁の一方の側面へ当接される当接基部とを有しており、浴槽側壁上に配置される手摺りが取り付けられている固定フレームと、
前記固定フレームの上にスライド可能に取り付けられるスライド部と、前記スライド部に連結された支持部とを有している可動フレームであって、前記可動フレームは、
浴槽側壁の他方の側面を押圧するための押圧部と、前記押圧部を前記支持部に対して近接離反させるために前記支持部に取り付けられた移動装置とを有しており、そして
前記固定フレームの前記載置部の上面には、前記可動フレームのスライド方向に沿って等ピッチに配列された複数の固定用ネジ穴と、前記固定用ネジ穴の配列方向と直行する方向であって前記固定用ネジ穴の配列を挟んで左右両側に配置された１対のガイド用固定穴とが設けられ、
前記可動フレームの前記スライド部には、互いに平行であって前記可動フレームのスライド方向へ延びている１対のスリットと、前記１対のスリットの間で前記可動フレームのスライド方向に沿って前記固定用ネジ穴と同じピッチで配列されている複数の貫通孔が設けられており、前記貫通孔は、
両端に配列された２つの貫通孔間の距離が前記スリットの長さよりも長く且つ前記固定用ネジ穴の数よりも多く設けられており、そして
前記２つのスリットのそれぞれへ、前記スリットの幅よりも大きな直径の頭部を有するガイド用ピンを前記スリットを通して前記ガイド用固定穴に取り付けることにより、前記可動フレームは、前記固定フレームから離脱することなくそのスライド方向が一方向へ規制され、
前記貫通孔を通して固定用ネジを前記固定用ネジ穴へ取り付けることにより、前記可動フレームは、前記固定フレームへ固定されることを特徴とする浴槽用手摺りが提供される。また、前記ガイド用固定穴は、前記固定用ネジ穴の配列に対して左右対称の位置に配置されていることがより好ましい。
【００１３】
本発明の浴槽用手摺りの基本形は、浴槽側壁の上面に載置される水平部分の載置部を備えた固定フレームと、固定フレームの載置部の上に取り付けられるスライド部を備えた可動フレームとを備えており、そして可動フレームの垂直部分を構成する垂直部には、浴槽側壁を押圧するために可動フレームの垂直部に対して前進後退する押圧部が装着されている。可動フレームのフレーム幅やスライド長には特に制限はないが、本発明の浴槽用手摺りでは、可動フレームのスライド部のフレーム幅を固定フレームの載置部のフレーム幅よりも幅狭とし、スライド長を長くすることで、軽量構造にて多様な厚みの浴槽側壁に適合できるようになっている。
【００１４】
また、本発明では固定フレームの載置部の上面に、可動フレームのスライド方向に沿って等ピッチに配列された複数の固定用ネジ穴と、固定用ネジ穴の配列方向と直行する方向であって固定用ネジ穴の配列を挟んで左右両側に配置された、より好ましくは固定用ネジ穴の配列に対して左右対称の位置に配置された１対のガイド用ネジ穴が設けられている。
【００１５】
一方、可動フレームのスライド部には、固定フレームの１対のガイド用ネジ穴と整列し、互いに平行であって可動フレームのスライド方向へ延びている１対のスリットが設けられている。また、スライド部には、１対のスリットの間で、可動フレームのスライド方向に沿って、固定フレームの固定用ネジ穴と同じピッチで複数の貫通孔が設けられている。貫通孔は、固定フレームの固定用ネジ穴の数よりも多く、且つ両端に配列された貫通孔間の距離がスリットの長さよりも長くなるように配列されている。
【００１６】
このため、本発明の浴槽用手摺りは、可動フレームの１対のスリットのそれぞれへ、スリットの幅よりも大きな直径の頭部を有するガイド用ネジをスリットを通過させ、固定フレームのガイド用固定穴に取り付けることにより、可動フレームをガイド用ネジに拘束させて、固定フレームから離脱させることなくスライドさせることができる。また、可動フレームのスライド方向は、固定フレームの１対のガイド用ネジ穴と整列し、互いに平行に可動フレームのスライド方向へ延びている１対のスリットによって拘束されるので、可動フレームと摺接するリブ等を設けなくても、可動フレームのスライド方向を所定の一方向へ規制し位置決めすることができる。
【００１７】
また、固定フレームに対する可動フレームの位置を決めた後、可動フレームの貫通孔を通過させて固定用ネジを固定フレームの固定用ネジ穴へネジ止めすることにより、可動フレームを固定フレームの所望の位置にしっかりと固定することができる。
【００１８】
本発明の浴槽用手摺りは、可動フレームのスライド部には、可動フレームを固定フレームへ取付けた時、固定フレームの載置部の底面と略同じレベルとなる下端部を有するスカートが設けられている。ただし、スカートは可動フレームのスライド部の全長に亘り設けられている必要がなく、可動フレームに対して押圧部が移動する範囲の長さであれば足りる。
【００１９】
例えば可動フレームのスライド部の底面が平坦である場合、スカートは可動フレームのスライド部の底面から下方へ且つ可動フレームのスライド方向へ延びているリブのような形態であってもよい。また、上述のように可動フレームのスライド部の底面が平坦である場合、スカートはスライド部の幅方向における左側領域及び右側領域のそれぞれに配置されていることが好ましい。
【００２０】
例えば可動フレームがスライド方向と直交する断面において下向きのコの字形状を有している場合、スライド部の下向きコの字形断面の両端部に形成される側壁が固定フレームの載置部の底面と略同じレベルとなる下端部を有していれば、前記下端面を有している側壁部分をスカートとして利用（兼用）することができる。
【００２１】
また、スカートが可動フレームのスライド部の下方に延びた壁を形成している場合は、スカートを可動フレームの補強リブとして機能させることもできる。
【００２２】
本発明において、スカートがスライド部の幅方向における左側領域及び右側領域のそれぞれに配置されているのが好ましいのは、押圧部の移動時に生じる回転を、押圧部の上端部の幅方向の２箇所から規制することで、安定して押圧部を螺進退等させることができるからである。
【００２３】
すなわち、一般的な押圧部の移動手段はボルト又はナットのいずれかを回動させてボルトを螺進退させるものであるため、ボルトに取り付けられた押圧部は移動時に回転する。ところが、本発明では押圧部が回転すると、押圧部の上端部の左側領域又は右側領域がスカートの下端部と当接するため、押圧部の移動時に生じる無制限な回転は確実に規制される。しかも、スカートの下端部は固定フレームの載置部の底面と略同じレベルに設定されているので、移動時、押圧部は可動フレームのスカートの下端部と固定フレームの載置部の底面との間で引っ掛かりを生じることなくスムーズに移動することができる。
【００２４】
本発明では、スカートは可動フレームの一部分を形成する一体部品として構成されている必要はなく、可動フレームとは分離独立した別部品として可動フレームに対して着脱可能に構成されていてもよい。
【００２５】
例えば、スカートを断面視において下向きのコの字形状を有するように構成すると、スカートは、可動フレームのスライド部に対して横方向からスライド挿入することにより或いは上方向から嵌め込むことにより、スライド部の上に簡単にスライド可能に取り付けることができる。また、スカートは所定の下端部を備えていれば可動フレームのような高い剛性を求められることはないので、形状が重視されるスカートを強度が重視される可動フレームから分離することにより、過剰な材料の使用を抑制して効率よく製作することができる。
【００２６】
可動フレームのスライド方向に沿ったスカートの長さが一定である場合、浴槽用手摺りの固定フレームは、押圧部が押圧する浴槽側壁の側面とは反対側の他方の側面と当接する当接部と、スカートをスライド方向に受け入れることができるスリットとを有していることが好ましい。
【００２７】
本発明の浴槽用手摺りは、浴槽側壁の上面に直置きされる固定フレームの中で、固定フレームの垂直部分（縦部材）を構成する当接基部へ当接部を設けることにより、可動フレームに取り付けられた押圧部を浴槽側壁を挟んで当接部とは反対側から押し付けても、固定フレームと浴槽側壁の上面との間に位置ズレや応力（摩擦力）を生じることなく、当接部と押圧部のクランプ力により浴槽側壁へ強固に取り付けることができる。
【００２８】
また、本発明の浴槽用手摺りは、固定フレームの水平部分（横部材）を構成する載置部へ所定の下端部を備えたスカートのリブをスライド方向に受け入れることができるスリットを設けることにより、スカートが可動フレームのスライド方向の長さを調節できない場合でも、スカートを固定フレームと干渉させることなく、可動フレームを固定フレームに対して自由に近接離間させることができる。
【００２９】
例えば、可動フレームを固定フレームに対して最も離間した位置に固定しようとすると、可動フレームの水平部分（横部材）を構成するスライド部の下面には重なり合う固定フレームの載置部の端部により段差が形成される。ところが、本発明の浴槽用手摺りでは、可動フレームのスライド部の底面が、押圧部の移動する範囲において、スカートの下端部を介して固定フレームの載置部の底面と略同じレベルに接続されるため、引っ掛かりを生じることなく、可動フレームと固定フレームとの間での押圧部の円滑な移動が保証される。
【００３０】
一方、可動フレームを固定フレームに対して最も近接した位置に固定しようとすると、下端部を備えたスカートのリブが固定フレームの載置部と干渉してしまい、可動フレームをスカートの長さ以下に固定フレームへ近接させることができなくなる。ところが、本発明の浴槽用手摺りでは、固定フレームの載置部へ、スカートのリブをスライド方向に受け入れるためのスリットを設けているので、スカートのリブを固定フレームの載置部と干渉させることなく、可動フレームのスライド部の大半を固定フレームの載置部と重なり合うように近接させることができる。
【００３１】
また、本発明の浴槽用手摺りでは、可動フレームのスライド部の大半が固定フレームの載置部と重なり合う場合においても、スカートの下端部が固定フレームのスリットの中で載置部の底面と略同じレベルに保持されるため、可動フレームを固定フレームに対して最も離間した位置に固定する場合と同様に、引っ掛かりを生じることなく、可動フレームと固定フレームとの間での押圧部の円滑な移動が保証される。
【００３２】
また、本発明の浴槽用手摺りでは、浴槽側壁の一方の側面と当接する当接部を有し、そして浴槽側壁の上面に直置きされる固定フレームと、前記固定フレームの上にスライド可能に取り付けられる可動フレームとを備えた浴槽用手摺りにおいて、前記可動フレームは、浴槽側壁の一方の側面を押圧するために前記可動フレームに対して近接離反する押圧部と、前記押圧部を支持するボルトと、前記ボルトと螺合し且つ前記可動フレームに回動自在に取り付けられているナットと、前記ナットを回動するためのハンドルノブとを有しており、そして前記ボルトは、ボルト軸に沿って設けられた可動側係止部が前記可動フレームに取り付けられた固定側係止部と係合することにより前記可動フレームに対して回動不能とすることによっても、ボルト及び該ボルトに取り付けられた押圧部が螺進退時に可動フレームや固定フレームに対して回転することがなくなるので、可動フレームの水平部分の下面と固定フレームの水平部分の端部により形成された段差で引っ掛かりを生じることなくスムーズに移動することができる。
【００３３】
本発明は、上述したように、可動フレームに対して移動可能に取り付けられた押圧部が固定フレームの端部によって可動フレームの下面に形成された段差での引っ掛かりを防止することをその目的としている。このため、本発明によりその利益を最も享受し得るタイプの押圧部の移動手段としては、ボルト又はナットのいずれかを回動させてボルトに回動力を伝達させながら螺進退させるものがある。
【００３４】
より具体的には、押圧部を支持するボルトと、ボルトと螺合し且つ可動フレームの縦部材を構成する垂直部に回動自在に取り付けられているナットと、ナットを回動するためのハンドルノブとを含んでいる移動手段や、或いは押圧部を支持するボルトと、ボルトと螺合し且つ可動フレームの縦部材を構成する垂直部に回動不能に固定されているナットと、ボルトを回動するためのハンドルノブとを含んでいる移動手段が、本発明によるスカート及びスリット、若しくは分割スカートの適用により最も利益を享受し得るタイプの移動手段として挙げられる。
【００３５】
また、本発明の浴槽用手摺りは、側面視において逆Ｌ字形状を有している固定フレームを浴槽側壁に直置きし、そして固定フレームの横部材を構成する載置部の上に逆Ｌ字形状を有している可動フレームを取り付けることにより、可動フレームに取り付けられた押圧部を浴槽側壁へ押し付けても固定フレームと浴槽側壁の上面との間に位置ズレや応力（摩擦力）を生じることなく、当接部と押圧部のクランプ力により浴槽側壁へ強固に取り付けることができることを特徴としている。
【００３６】
このため、本発明では、上記の特徴を最大限に活用するために、浴槽用側壁の上方であって固定フレームの上方に配置される手摺り本体は、浴槽側壁の上面との関係で位置ズレや応力（摩擦力）を生じることない固定フレーム側へ取り付けることが好ましい。また、本発明では、押圧部及びその移動手段は洗い場側ではなく浴槽側にセットされる可動フレームに取り付けられるので、押圧部及び押圧部を担持したボルトを螺進退させるためのハンドルノブの浴槽内への突出量は極力抑えられていることが好ましい。このため、本発明の浴槽用手摺りでは、上述した２種類の押圧部の移動手段のうち、回転させても可動フレームに対するハンドルノブの位置が変わらない前者のタイプの移動手段を採用することが好ましい。
【発明の効果】
【００３７】
本発明の浴槽用手摺りによれば、可動フレームの１対のスリットのそれぞれへ、スリットの幅よりも大きな直径の頭部を有するガイド用ネジをスリットを通過させ、固定フレームのガイド用固定穴に取り付けることにより、可動フレームをガイド用ネジに拘束させて、固定フレームから離脱させることなくスライドさせることができる。また、可動フレームのスライド方向は、固定フレームの１対のガイド用ネジ穴と整列し、互いに平行に可動フレームのスライド方向へ延びている１対のスリットによって拘束されるので、可動フレームと摺接するリブ等を設けなくても、可動フレームのスライド方向を所定の一方向へ規制し位置決めすることができる。
【００３８】
さらに、本発明によれば、固定フレームに対する可動フレームの位置を決めた後、可動フレームの貫通孔を通過させて固定用ネジを固定フレームの固定用ネジ穴へネジ止めすることにより、可動フレームを固定フレームの所望の位置にしっかりと固定することができる。
【００３９】
本発明の浴槽用手摺りによれば、固定フレームの水平部分（横部材）を構成する載置部へ所定の下端部を備えたスカートのリブをスライド方向に受け入れることができるスリットを設けることにより、固定フレームに対する可動フレームの近接離間位置に拠らず、可動フレームのスライド部の底面をスカートの下端部を介して固定フレームの載置部の底面と略同じレベルに接続できるため、押圧部に段差による引っ掛かりを生じさせることなく、可動フレームと固定フレームとの間の円滑な移動を保証することができる。
【００４０】
本発明の浴槽用手摺りよれば、固定フレームと、固定フレームの上にスライド可能に取り付けられた可動フレームとからなる浴槽用手摺りにおいて、可動フレームに対して移動可能に取り付けられた押圧部の回転を規制することにより、可動フレームの水平部分の下面と固定フレームの水平部分の端部により形成された段差で引っ掛かりを生じることなくスムーズに移動することができる。
【００４１】
本発明の浴槽用手摺りの浴槽用手摺りによれば、側面視において逆Ｌ字形状を有している固定フレームを浴槽側壁に直置きし、そして固定フレームの横部材を構成する載置部の上に逆Ｌ字形状を有している可動フレームを取り付けることにより、可動フレームに取り付けられた押圧部を浴槽側壁へ押し付けても固定フレームと浴槽側壁の上面との間に位置ズレや応力（摩擦力）を生じることなく、当接部と押圧部のクランプ力により浴槽側壁へ強固に取り付けることができる。
【００４２】
本発明の浴槽用手摺りの浴槽用手摺りによれば、可動フレームを介して浴槽側へ取り付けられる押圧部の移動手段は、押圧部を支持するボルトと、ボルトと螺合し且つ可動フレームの縦部材を構成する垂直部に回動自在に取り付けられているナットと、ナットを回動するためのハンドルノブとから構成することができるので、ハンドルノブを回転させても可動フレームに関する位置が変わらず、浴槽内への突出量も抑えられるので使用者にとって安全である。
【図面の簡単な説明】
【００４３】
【図１】本発明の一実施形態に係る浴槽用手摺りの全体概要図である。
【図２】図１に示された浴槽用手摺りの分解図である。
【図３】図１に示された浴槽用手摺りの固定フレームの背面図である。
【図４】図１に示された浴槽用手摺りをボルト軸に沿って切り取った断面図である。
【図５】図１に示された浴槽用手摺りにおいて、固定フレームと可動フレームとを（ａ）分離した状態、（ｂ）離間接続した状態、（ｃ）近接接続した状態を示した概要図である。
【図６】図５に示された浴槽用手摺りにおいて、固定フレームと可動フレームとを（ａ）離間接続した状態、（ｂ）近接接続した状態を示した側面図である。側面図である。
【図７】図１に示された浴槽用手摺りの固定フレームの分解図である。
【図８】図１に示された浴槽用手摺りの可動フレームを、フレーム本体、移動装置（トルク伝達・遮断手段、トルク伝達ロック機構を含む）及び押圧部へ分解した状態を示した分解図である。
【発明を実施するための形態】
【００４４】
以下、本発明の一実施形態に係る浴槽用手摺りについて、図面を参照しながら詳細に説明する。なお、本発明は、以下に示される実施例に限定されるものではなく、本発明の技術的思想を逸脱しない範囲内で各種の変更が可能である。
【００４５】
図１及び図２を用いて、本発明の一実施形態に係る浴槽用手摺り１の主な構成を説明する。図１には、本実施形態の浴槽用手摺り１の全体概要が示されており、図２には、図１に示された浴槽用手摺り１を主な部品に分解した態様が示されている。
【００４６】
図１，２に示されているように、浴槽用手摺り１の基本的骨格は、浴槽側壁の上面へ直接載置される載置部２１と、載置部２１と連結しており浴槽側壁の一の側面に当接される当接基部２２とを備えた倒Ｌ字形の固定フレーム２と、固定フレーム２の載置部２１の上にスライド可能に取り付けられるスライド部３１と、スライド部３１と連結しており浴槽側壁の他の側面に当接される垂直部３２とを備えた倒Ｌ字形の可動フレーム３とから構成される。また、可動フレーム３のスライド部３１には、可動フレーム３を固定フレーム２へ取付けた時、固定フレーム２の載置部２１の底面と略同じレベルとなる下端部４１を備えたスカート４が着脱自在に取り付けられている。
【００４７】
なお、可動フレーム３のフレーム幅やスライド長には特に制限はないが、本実施形態の浴槽用手摺り１では、可動フレーム３のスライド部３１のフレーム幅を固定フレーム２の載置部２１のフレーム幅よりも幅狭とし、スライド長を長くすることで、軽量構造にて多様な厚みの浴槽側壁に適合できるようになっている。
【００４８】
固定フレーム２の当接基部２２の内側には、浴槽側壁の側面と当接する当接部２３が取り付けられており、当接基部２２の外側には、使用者の身体を支えるためのメイングリップ２４と、浴槽用手摺り１の傾転を防止するための脚部２５が取り付けられている。一方、可動フレーム３の垂直部３２には、当接部２３とは反対側の浴槽側壁の側面を押圧する押圧部５を前進及び後退させるための移動装置６と、浴槽内の使用者の動きを補助するためのサブグリップ３３が取り付けられている。また、移動装置６はナット６１を回転させるためのハンドルノブ６２及びそのキャップ６２０を含んでおり、ナット６１の回転により螺進退されるボルト６３の先端には、矩形平面を有する板状の押圧部５が首振り自在に取り付けられている。
【００４９】
また、本実施形態の浴槽用手摺り１では、着脱自在に装着可能な保護カバー２６，３４を用いて固定フレーム２の載置部２１と可動フレーム３のスライド部３１、及び可動フレーム３の垂直部３２を覆うことにより、凹凸部などの危険箇所を減らしたり、通常は操作不要な部位の誤操作を防止したりすると共に、視覚的に見栄えを良くして清潔にしている（図２参照）。
【００５０】
メイングリップ２４は、平面視が略矩形のリング状の上部グリップ２４０と、上部グリップ２４０と連結されており、複数の固定孔２４１が設けられている１対のグリップ支持部２４２とを含んでおり、メイングリップ２４は、グリップ支持部２４２の固定孔２４１へ、後述する固定フレーム２の挿入・解除手段２７の挿入ピン２７０を挿入することより任意の高さに調節可能に固定することができる。
【００５１】
脚部２５は、ネジ２５０により固定フレーム２へネジ止めされる主脚部２５１と、主脚部２５１の内部に設けられた雌ネジ部と螺合する雄ネジ部が外周面に設けられた補助脚部２５２とから構成されている。脚部２５は、主脚部２５１に対し補助脚部２５２を回転させることによりその長さを調節することができる。
【００５２】
図３には、本実施形態の浴槽用手摺り１の固定フレーム２の背面図が示されている。図３を参照して理解されるように、本実施形態の固定フレーム２の載置部２１には、載置部２１から後述する当接基部２２に亘り連続して延びている２本の補強リブ２０と、可動フレーム３のスライド部３１に装着されたスカート４を受け入れるための１対のスリット７と、そして載置部２１の幅方向において、グリップ支持部２４２よりも外側へ向けて延びた延出部２８が設けられている。
【００５３】
延出部２８は、浴槽側壁の長手方向に沿って水平方向の力がメイングリップ２４へ加えられた時、浴槽側壁の上面と当接することによりメイングリップ２４に働く回転モーメントに抗するようにメイングリップ２４を支えるので、メイングリップ２４が浴槽側壁の上面上で浴槽側壁の長手方向へ回転したり転倒したりするのを強力に阻止する。なお、「載置部２１の幅方向」とは、固定フレーム２の載置部２１において当接部２３と押圧部５によって浴槽側壁をクランプする方向とは直交する方向の中の水平方向を意味し、浴槽用手摺り１を浴槽側壁へ取り付けた時、浴槽側壁の上面の長手方向と略一致する方向である。
【００５４】
一方、固定フレーム２の当接基部２２には、１対のグリップ支持部２４２をスライド可能に受け入れるための円筒形のグリップ支持部収容部２９が設けられている。また、１対のグリップ支持部収容部２９の間には、１対の挿入ピン２７０と、挿入ピン２７０の後端部に取り付けられた１対のつまみ２７１と、挿入ピン２７０をグリップ支持部２４２へ向けて付勢する付勢手段２７２とからなる挿入・解除手段２７が配設されている。
【００５５】
挿入ピン２７０は、グリップ支持部収容部２９の貫通孔（図示せず）を通してグリップ支持部２４２の複数の固定孔２４１（図２）の少なくとも１つに抜き差し可能に挿入される。また、つる巻きバネ状の付勢手段２７２は、挿入ピン２７０をグリップ支持部収容部２９の貫通孔の外側からグリップ支持部２４２の固定孔２４１へ向けて付勢する。つまみ２７１は、使用者が操作して付勢手段２７２による挿入ピン２７０の付勢の方向とは逆向きに付勢手段２７２に力を加えるためのものである。
【００５６】
このように、本実施形態の浴槽用手摺り１では、メイングリップ２４のグリップ支持部２４２は、グリップ支持部収容部２９と挿入解除機構２７により固定フレーム２の当接基部２２の背面に高さ調節自在に固定される。すなわち、挿入解除機構２７の挿入ピン２７０をグリップ支持部２４２の固定孔２４１へ挿入した状態では、メイングリップ２４は固定フレーム２へ連結及び固定され、一方、挿入ピン２７０をグリップ支持部２４２の固定孔２４１へ挿入していない状態では、メイングリップ２４は固定フレーム２へ連結及び固定されない。
【００５７】
また、グリップ支持部収容部２９は、その上部にグリップ支持部２４２のガタ付きを抑えて固定するための縮径部２９０及び縮径部２９０の外周面に螺合されるナット２９１を備えている。縮径部２９０は、グリップ支持部収容部２９の上部に設けられたスリットである。また、縮径部２９０の外周面にはネジ山（ネジ溝）が設けられており、外周面は上方から下方へ向けて外径が徐々に大きくなるようにテーパーが付けられている。このため、縮径部２９０のネジ山（ネジ溝）へナット２９１を取り付け、ナット２９１を下方へ螺進するように回転させると、縮径部２９０はナット２９１によって縮径されるので、グリップ支持部２４２はグリップ支持部収容部２９の中へガタ付くことなく固定される。
【００５８】
図４には、本実施形態に係る浴槽用手摺り１をボルト６３の軸に沿って切り取った断面図が示されている。浴槽用手摺り１の固定フレーム２は、載置部２１と、載置部２１に連結されており浴槽側壁の一方の側面へ当接される当接部２３を備えた当接基部２２とを含んでおり、全体として倒Ｌ字形の断面形状を有している。また、固定フレーム２へスライド及び着脱自在に取り付けられる可動フレーム３は、スライド部３１と、スライド部３１に連結された垂直部３２とを含んでおり、全体として下向きの略Ｌ字形の断面形状を有している。さらに、固定フレーム２の載置部２１の内面及び当接部２３の内面にはそれぞれ弾性を有する樹脂ラバー２１０、２３０が装着されており、浴槽側壁の傷付け防止及び滑り止めが施されている。
【００５９】
可動フレーム３の垂直部３１には、移動装置６のナット６１が回動自在に取り付けられており、ナット６１の回転により螺進退されるボルト６３の先端には、上述の当接部２３が当接する浴槽側壁とは反対側の側面を押圧する押圧部５が首振り自在に取り付けられている。また、ナット６１は、後述するトルク伝達・遮断手段６４を介してハンドルノブ６２によって回転される。
【００６０】
図４及び図２に示されているように、固定フレーム２の載置部２１の上面には、可動フレーム３のスライド方向に沿って等ピッチに配列された複数の固定用ネジ穴２１１と、固定用ネジ穴２１１の配列方向と直行する方向であって、固定用ネジ穴２１１の配列を挟んで左右両側であり且つ固定用ネジ穴２１１の配列に対して左右対称の位置に配置された１対のガイド用ネジ穴２１２が設けられている。
【００６１】
一方、可動フレーム３のスライド部３１には、固定フレーム２の１対のガイド用ネジ穴２１２と整列し、互いに平行であって可動フレーム３のスライド方向へ延びている１対のスリット３１０が設けられている。また、スライド部３１には、１対のスリット３１０の間で、可動フレーム３のスライド方向に沿って、固定フレーム２の固定用ネジ穴２１１と同じピッチで複数の貫通孔３１１が設けられている。貫通孔３１１は、固定フレーム２の固定用ネジ穴２１１の数よりも多く、且つ両端に配列された貫通孔間の距離がスリット３１０の長さよりも長くなるように配列されている。
【００６２】
このため、本実施形態に係る浴槽用手摺り１は、可動フレーム３の１対のスリット３１０のそれぞれへ、スリット３１０の幅よりも大きな直径の頭部を有するガイド用ネジ３１２をスリット３１０を通過させ、固定フレーム２のガイド用固定穴２１２に取り付けることにより、可動フレーム３を固定フレーム２に対し、固定フレーム２から離脱させることなくそのスライド方向が一方向へ規制されるように位置決めすることができる。また、固定フレーム２に対する可動フレーム３の位置を決めた後、可動フレーム３の貫通孔３１１を通過させて固定用ネジ３１３を固定フレーム２の固定用ネジ穴２１１へネジ止めすることにより、可動フレーム３を固定フレーム２の所望の位置にしっかりと固定することができる。
【００６３】
このように、本実施形態の浴槽用手摺り１は、浴槽側壁の厚みに合わせて、可動フレーム３の垂直部３２を、予め可能な限り固定フレーム２の当接基部２２及び当接部２３へ近接させておくことができるので、浴槽側壁をクランプするために必要となる押圧部５の移動距離を必要最小限に抑えることができるようになる。そのため、押圧部５を当接部２３へ向けて螺進退させるためのボルト６３などを含む移動装置６をコンパクトに設計することができる。
【００６４】
図５には、第１の実施形態の浴槽用手摺り１において、固定フレーム２と可動フレーム３とを（ａ）分離した状態、（ｂ）離間接続した状態および（ｃ）近接接続した状態のそれぞれの概要図が示されている。図６には、図５に示された本実施形態の浴槽用手摺り１において、固定フレーム２と可動フレーム３とを（ａ）離間接続した状態および（ｂ）近接接続した状態のそれぞれの側面図が示されている。
【００６５】
図５及び図６を参照してよく理解されるように、可動フレーム３のスライド部３１には、可動フレーム３を固定フレーム２へ取付けた時、固定フレーム２の載置部２１の底面２１３と略同じレベルとなる下端部４１を有するスカート４が設けられている。ただし、スカート４の長さは可動フレーム３のスライド部３１の全長よりも短く、可動フレーム３に対して押圧部５が移動する範囲の長さに設定されている（図６（ａ）（ｂ））。
【００６６】
本実施形態の場合、可動フレーム３のスライド部３１の底面は平坦であるので、スカート４は、取り付けた時、可動フレーム３のスライド部３１の底面から下方へ且つ可動フレーム３のスライド方向へ延びているリブのような形態を有している（図５（ｂ））。また、スカート４は、スライド部３１の幅方向における左側領域及び右側領域のそれぞれに垂直なリブを形成するように配置されている（図５（ａ））。
【００６７】
本実施形態では、スカート４は、取り付けた時、スライド部３１の幅方向における左側領域及び右側領域のそれぞれに配置されているので、押圧部５の移動時に生じる回転を、押圧部５の上端部の幅方向の２箇所から規制することで安定して押圧部５を螺進退等させることができる。
【００６８】
すなわち、本実施形態の押圧部５の移動手段６はナット６１を回動させてボルト６３を螺進退させるものであるため、ボルト６３に取り付けられた押圧部５は移動時に回転する。ところが、本実施形態では押圧部５が回転すると、押圧部５の上端部の左側領域又は右側領域がスカート４の下端部４１と当接するため、押圧部５の移動時に生じる無制限な回転は確実に規制される。しかも、スカート４の下端部４１は固定フレーム２の載置部２１の底面２１３と略同じレベルに設定されているので（図６（ａ）（ｂ））、移動時、押圧部５は可動フレーム３のスカート４の下端部４１と固定フレーム３の載置部３１の底面２１３との間で引っ掛かりを生じることなくスムーズに移動することができる。
【００６９】
本実施形態では、スカート４は可動フレーム３から分離独立した別部品として、可動フレーム３に対して着脱可能に構成されている。
【００７０】
本実施形態では、スカート４は断面視において下向きのコの字形状を有しており、スカート４ａの下端部４１ａ付近には、可動フレーム３の下面と摺接することによりスライド部３２から離脱を防止する水平リブ４２が内側へ向けて設けられている。本実施形態のスカート４は、可動フレーム３のスライド部３１に対して横方向からスライド挿入することにより、スライド部３１の上に簡単にスライド可能に取り付けることができる。また、スカート４は所定の下端部４１を備えていれば可動フレーム３のような高い剛性を求められることはないので、形状が重視されるスカート４を強度が重視される可動フレーム３から分離することにより、過剰な材料の使用を抑制して効率よく製作することができる。
【００７１】
本実施形態では、スカート４の、可動フレーム３のスライド方向に沿った長さが一定であるので、浴槽用手摺り１の固定フレーム２は、押圧部５が押圧する浴槽側壁の側面とは反対側の他方の側面と当接する当接部２３と、スカート４をスライド方向に受け入れることができるスリット７とを有している（図２，３）。
【００７２】
本実施形態の浴槽用手摺り１は、浴槽側壁の上面に直置きされる固定フレーム２の中で、固定フレーム２の垂直部分（縦部材）を構成する当接基部２２へ当接部２３を有しているので、可動フレーム３に取り付けられた押圧部５を浴槽側壁を挟んで当接部２３とは反対側から押し付けても、固定フレーム２と浴槽側壁の上面との間に位置ズレや応力（摩擦力）を生じることなく、当接部２３と押圧部５のクランプ力により浴槽側壁へ強固に取り付けることができる。
【００７３】
また、本実施形態の浴槽用手摺り１は、上述したように、固定フレーム２の水平部分（横部材）を構成する載置部２１へ所定の下端部４１を備えたスカート４のリブをスライド方向に受け入れることができるスリット７を有しているので、スカート４の可動フレーム３におけるスライド方向の長さが不変であっても、スカート４を固定フレーム２と干渉させることなく、可動フレーム３を固定フレーム２に対して自由に近接離間させることができる。スリット７は、載置部２１の先端縁部から中央部付近にかけて可動フレーム３のスライド方向に開口しており、下端部４１を備えたスカート４のリブの位置に合わせて２つ形成されている。
【００７４】
スカート４がない場合、可動フレーム３を固定フレーム２に対して最も離間した位置に固定しようとすると、可動フレーム３のスライド部３１の下面には重なり合う固定フレーム２の載置部２１の端部により段差（図示せず）が形成される。ところが、本実施形態の浴槽用手摺り１では、可動フレーム３のスライド部３１の底面が、押圧部５の移動する範囲において、スカート４の下端部４１を介して固定フレーム２の載置部２１の底面２１３と略同じレベルに接続されるため、引っ掛かりを生じることなく、可動フレーム３と固定フレーム２との間での押圧部５の円滑な移動が保証される（図５（ｂ），図６（ａ）参照）。
【００７５】
一方、固定フレーム２にスリット７が設けていない場合、可動フレーム３を固定フレーム２に対して最も近接した位置に固定しようとすると、下端部４１を備えたスカート４のリブが固定フレーム２の載置部２１と干渉してしまい、可動フレーム３をスカート４の長さ以下に固定フレーム２へ近接させることができなくなる。ところが、本実施形態の浴槽用手摺り１では、固定フレーム２の載置部２１へ、スカート４のリブをスライド方向に受け入れるためのスリット７を設けているので、スカート４のリブを固定フレーム２の載置部２１と干渉させることなく、可動フレーム３のスライド部３１の大半を固定フレーム２の載置部２１と重なり合うように近接させることができる（図５（ｃ）参照）。
【００７６】
また、本実施形態の浴槽用手摺り１では、可動フレーム３のスライド部３１の大半が固定フレーム２の載置部２１と重なり合う場合においても、スカート４の下端部４１が固定フレーム２のスリット７の中で載置部２１の底面２１３と略同じレベルに保持されるため、可動フレーム３を固定フレーム２に対して最も離間した位置に固定する場合と同様に、引っ掛かりを生じることなく、可動フレーム３と固定フレーム２との間での押圧部５の円滑な移動が保証される（図６（ｂ）参照）。
【００７７】
また、図示しないが、本発明の浴槽用手摺りでは、浴槽側壁の一方の側面と当接する当接部を有し、そして浴槽側壁の上面に直置きされる固定フレームと、前記固定フレームの上にスライド可能に取り付けられる可動フレームとを備えた浴槽用手摺りにおいて、前記可動フレームは、浴槽側壁の一方の側面を押圧するために前記可動フレームに対して近接離反する押圧部と、前記押圧部を支持するボルトと、前記ボルトと螺合し且つ前記可動フレームに回動自在に取り付けられているナットと、前記ナットを回動するためのハンドルノブとを有しており、そして前記ボルトは、ボルト軸に沿って設けられた可動側係止部が前記可動フレームに取り付けられた固定側係止部と係合することにより前記可動フレームに対して回動不能とすることによっても、ボルト及び該ボルトに取り付けられた押圧部が螺進退時に可動フレームや固定フレームに対して回転することがなくなるので、可動フレームの水平部分の下面と固定フレームの水平部分の端部により形成された段差で引っ掛かりを生じることなくスムーズに移動することができる。
【００７８】
図７には、図２に示される本実施形態の浴槽用手摺り１の固定フレーム２の分解図が示されている。
【００７９】
本実施形態の固定フレーム２は、浴槽側壁の上面へ載置される載置部２１と、載置部２１に連結されており浴槽側壁の一方の側面へ当接される当接部２３が設けられている当接基部２２から構成されており、当接基部２２の背面にはメイングリップ２４の１対のグリップ支持部２４２をスライド可能に収容するためのグリップ支持部収容部２９が設けられている。また、グリップ支持部収容部２９の上部には、メイングリップ２４のグリップ支持部２４２をガタ付きなく固定するために、テーパー付きの縮径部２９０と、縮径部２９０のネジ山と螺合するナット２９１が設けられている。
【００８０】
固定フレーム２の載置部２１には、載置部２１から当接基部２２にかけて連続して延びている２本の補強リブ２０と、載置部２１の幅方向において、グリップ支持部２４２よりも外側へ向けて延びた延出部２８が設けられている。また、載置部２１には、可動フレーム３を取付位置可変にネジ止めするために、可動フレーム３のスライド方向に沿って等ピッチに配列された複数の固定用ネジ穴２１１と、固定用ネジ穴２１１の配列方向と直行する方向であって、固定用ネジ穴２１１の配列を挟んで左右両側であり且つ固定用ネジ穴２１１の配列に対して左右対称の位置に配置された１対のガイド用ネジ穴２１２が設けられている。
【００８１】
固定フレーム２の載置部２１の内面（裏側）及び当接部２３の内面のそれぞれには、浴槽側壁への傷付け防止及び滑り止めを兼ねた弾性を有する樹脂ラバー２１０，２３０が装着されており、さらに当接基部２２の内面であって当接部２３の下部には、浴槽用手摺り１を取付ける時、当接部２３が浴槽側壁の上面に乗り上げるのを防止するための案内部２３１が取り付けられている。なお、本実施形態では、当接部２３及び案内部２３１は樹脂からできている。
【００８２】
図８には、図１に示される本実施形態の浴槽用手摺り１の可動フレーム３を、フレーム本体３、移動装置６（トルク伝達・遮断手段６４を含む）及び押圧部５へ分解した状態の概要が示されている。
【００８３】
図８に示されているように、本実施形態の浴槽用手摺り１では、押圧部５は樹脂ラバー５１を含んでおり、樹脂ラバー５１は、その裏面に設けられた円形の凸部５１０を押圧部本体５０の円形の凹部５００へ嵌め込むことにより装着される。
【００８４】
また、押圧部本体５０にはボルト６３の先端部分と嵌合する固定穴５０１が設けられており、ボルト６３の先端部分を固定穴５０１に挿通し、先端部分が露出した側からネジ５０２によりネジ止めすることにより、押圧部５がボルト６３の先端部分へ取り付けられる。なお、本実施形態では、押圧部本体５０のボルト６３の先端部分への取付け部分には遊びを設けているので、押圧部本体５０はボルト６３の先端部分に対して首を振ることができる。このため、本実施形態の押圧部５は、曲面を有する浴槽側壁に対しても確実に押圧することができる。
【００８５】
本実施形態の浴槽用手摺り１では、押圧部５を当接部２３へ向けて前進及び後退させるための移動装置６は、可動フレーム３の垂直部３２へ回動可能に取り付けられたナット６１と、ナット６１を回動するためのハンドルノブ６２と、そして先端部が押圧部５に連結されており且つナット６１に螺合するボルト６３とから構成されており、さらに所定の力未満ではハンドルノブ６２からナット６１へ回動力を伝達し、そして、所定の力以上ではハンドルノブ６２からナット６１への回動力の伝達を遮断するトルク伝達・遮断手段６４を含んでいる。
【００８６】
本実施形態では、移動装置６はナット６１及びボルト６３によって構成されているので、ボルト６３の螺進退により押圧部５を当接部２３に対して容易に近接又は離間させることができ、さらにその状態も確実に保持することができる。さらに、本実施形態では、ナット６１は可動フレーム３の垂直部３２へ回動可能に取り付けられており、ハンドルノブ６２によってナット６１を回転させることによりボルト６３及びその先端に取り付けられた押圧部５が螺進退するので、ハンドルノブ６２の位置は垂直部３２に対して変わることがない。その結果、本実施形態では、浴槽用手摺り１からハンドルノブ６２が突出するのを抑制できるので使用者にとって安全である。
【００８７】
また、本実施形態の移動装置６はトルク伝達・遮断手段６４を備えているので、使用者がハンドルノブ６２を回して押圧部５を当接部２３へ向けて強力に押し込んでも浴槽側壁を破損することなく、本実施形態の浴槽用手摺り１を必要にして十分な押圧力（クランプ力）をもって浴槽側壁へ取り付けることができる。また、押圧部５の移動装置６へ上述のトルク伝達・遮断手段６４を設けても、ハンドルノブ６２の位置は可動フレーム３の垂直部３２に対して変わることがない。
【００８８】
本実施形態のトルク伝達・遮断手段６４は、ハンドルノブ６２の回転軸に対して直交する略円形のトルク伝達面６５０を備えており、そしてハンドルノブ６２の回転と同調し且つハンドルノブ６２の回転軸に沿ってスライド可能に内装される環状部材６５と、トルク伝達面６５０に当接し且つナット６１の回転軸に対して直交する略円形のトルク伝受面６６０を備えた第２の環状部材６６と、フランジ６１０を備えたナット６１と、環状部材６５のトルク伝達面６５０をナット８１のトルク伝受面６６０へ向けて付勢する付勢手段６７とから構成されており、そしてトルク伝達面６５０およびトルク伝受面６６０は、それぞれに伝達される回動力が所定の力未満ではトルク伝達面６５０とトルク伝受面６６０とを相互に係止し、且つ伝達される回動力が所定の力以上ではトルク伝達面６５０とトルク伝受面６６０との間で滑りを生じさせる傾斜面を備えた凹部または凸部を含ませることにより構成されている。
【００８９】
トルク伝達・遮断手段６４のトルク伝達面６５０の中心及びトルク伝受面６６０の中心は、ハンドルノブ６２及びナット６１の回転軸と同軸上に配置されている。またトルク伝達面６５０上及びトルク伝受面６６０上には、それぞれにトルク伝達面６５０又はトルク伝受面６６０から傾斜した斜面を含む凹部／凸部が形成されている。トルク伝達面６５０の傾斜面及びトルク伝受面６６０の傾斜面は、押圧部５を浴槽側壁へ押し込むようにハンドルノブ６２を回す時、互いに対向する相手側の傾斜面を昇るように勾配が付けられている。
【００９０】
そして、トルク伝達面６５０を有する環状部材６５はハンドルノブ６２及びナット６１の回転軸に沿ってスライド可能に装着されており、且つ弾性体の付勢手段６７によってトルク伝受面６６０に向けて付勢されている。付勢手段６７は、コイルバネ、皿バネ、弾性樹脂材料など弾性変形可能なものであれば特に限定されることなく公知のものを使用することができる。
【００９１】
このため、トルク伝達面６５０の傾斜面とトルク伝受面６６０の傾斜面との間には常に一定の摩擦力が生じている。そしてハンドルノブ６２からナット６１へ伝達されるトルクが所定の値未満である時、トルク伝達面６５０の傾斜面はトルク伝受面６６０の傾斜面を乗り越えることができず、互いに噛み合った状態で係合している。そしてこの係合により、ハンドルノブ６２のトルクがナット６１へ伝達され、該ナット６１と螺合するボルト６３が可動フレーム３に取り付けられた押圧部５を浴槽側壁へ向けて押し付ける。
【００９２】
一方、ハンドルノブ６２からナット６１へ伝達されるトルクが所定の値以上になると、トルク伝達面６５０の傾斜面はトルク伝受面６６０の傾斜面との間に滑りが生じる。その結果、トルク伝達面６５０を備えた環状部材６５は付勢手段６７に抗して後退し、トルク伝達面６５０の傾斜面がトルク伝受面６６０の傾斜面を乗り越えることによって両者の係合が解除される。このため、この状態でハンドルノブ６２を回してもハンドルノブ６２はナット６１に対して空回りするのみであり、ハンドルノブ６２からナット６１へトルクが伝達されることはない。
【００９３】
また、トルク伝達面６５０の傾斜面の後端にはトルク伝達面６５０に略直交する垂直面が形成されており、トルク伝受面６６０の傾斜面の後端にはトルク伝受面６６０に略直交する垂直面が形成されている。トルク伝達面６５０の垂直面とトルク伝受面６６０の垂直面は、可動フレーム３の押圧部５を浴槽の側壁から離間させるようにハンドルノブ６２を回す時、互いに当接し係合する。そのため、ハンドルノブ６２を、押圧部５を浴槽の側壁から離間させるように回す時は、伝達されるトルクの大きさに拠らず、常にハンドルノブ６２とナット６１は同調して回転する。
【００９４】
このように、トルク伝達・遮断手段６４において、ナット６１の回転と同調して回動するトルク伝受面６６０は、ナット６１の外周面に取り付けられている。このため、トルク伝達・遮断手段６４は、ナット６１本体と一部重複して配置することができるので、トルク伝達・遮断手段６４及び該トルク伝達・遮断手段６４を備えたハンドルノブ６２の可動フレーム３からの突出長さを抑えることができる。
【００９５】
また、本実施形態では、消耗部品の交換を容易にすることでトルク伝達・遮断手段６４のメンテナンス性を向上させるために、トルク伝受面６６０は、ナット６１の回転と同調するようにナット６１へ着脱自在に装着された第２の環状部材６６上に形成されている。
【００９６】
さらに、可動フレーム３の垂直部３２へのナット６１の着脱を容易にすることでトルク伝達・遮断手段６４のメンテナンス性を向上させるため、ナット６１には可動フレーム３の垂直部３２に設けられた開口３１４へ挿通される胴部６１２を設け、第２の環状部材６６の外径は開口３１４より大きな外径とすることにより、装着時は、ナット６１の胴部６１２を開口３１４へ挿通し、第２の環状部材６６が当接する垂直部３２の側面とは反対側の側面から、ネジ６９１により、開口３１４より大きな外径を有するフランジ部材６９とカバー６９０を第２の環状部材６６と連結することで、ナット８１を垂直部３２へ回転自在に取り付けられるようにしている。
【００９７】
また、第２の環状部材８５やフランジ部材６９の消耗を防ぎ、ナット６１の回転を円滑にするため、可動フレーム３の垂直部３２は、樹脂製のワッシャー６８を介して第２の環状部材６６及びフランジ部材６９によって挟み込まれている。
【００９８】
さらに、本実施形態では、ハンドルノブ６２の胴部の端部には、胴部よりも拡径された拡径部６２１が設けられている。そして、ハンドルノブ６２は、トルク伝達面６５０を有する環状部材６５と同調して回転させられると共に、ナット６１から離脱しないように、拡径部６２１よりも小さな内径の開口を有する上下ハンドル固定カバー６２２によって可動フレーム３の垂直部３２へ回転自在に取り付けられている。
【００９９】
なお、本実施形態のトルク伝達・遮断手段６４では、ハンドルノブ６２の内部に設けられており、突起と突起の間に形成された凹部等からなる第１の係止手段６２３と、ナット６１の端部に設けた欠き等の凹部からなる第２の係止手段６１１とをピン等の係合手段（図示せず）によって連結することにより、所定の力以上でも、常にハンドルノブ６２からナット６１へ回動力を伝達できるようにすることができる。
【０１００】
本実施形態の浴槽用手摺り１は、上述したように、可動フレーム３に対して移動可能に取り付けられた押圧部５が固定フレーム２の端部によって可動フレーム３の下面に形成された段差での引っ掛かりを防止することができる。このため、本実施形態によりその利益を最も享受し得るタイプの押圧部５の移動手段としては、ボルト又はナットのいずれかを回動させてボルトに回動力を伝達させながら螺進退させるものがある。
【０１０１】
より具体的には、本実施形態のように押圧部５を支持するボルト６３と、ボルト６３と螺合し且つ可動フレーム３の縦部材を構成する垂直部３２に回動自在に取り付けられているナット６１と、ナット６１を回動するためのハンドルノブ６２とを含んでいる移動装置６や、或いは特許文献１に記載されているように押圧部を支持するボルトと、ボルトと螺合し且つ可動フレームの縦部材を構成する垂直部に回動不能に固定されているナットと、ボルトを回動するためのハンドルノブとを含んでいる移動装置が、本実施形態によるスカート４及びスリット７の適用により最も利益を享受し得るタイプの移動手段として挙げられる。
【０１０２】
また、本実施形態の浴槽用手摺り１は、側面視において逆Ｌ字形状を有している固定フレーム２を浴槽側壁に直置きし、そして固定フレーム２の横部材を構成する載置部２１の上に逆Ｌ字形状を有している可動フレーム３を取り付けることにより、可動フレーム３に取り付けられた押圧部５を浴槽側壁へ押し付けても固定フレーム２と浴槽側壁の上面との間に位置ズレや応力（摩擦力）を生じることなく、当接部２３と押圧部５のクランプ力により浴槽側壁へ強固に取り付けることができる。
【０１０３】
このため、本実施形態では、上記の特徴を最大限に活用するために、浴槽用側壁の上方であって固定フレーム２の上方に配置されるメイングリップ２４は、浴槽側壁の上面との関係で位置ズレや応力（摩擦力）を生じることない固定フレーム２側へ取り付けられている。また、本実施形態では、押圧部５及びその移動装置６は洗い場側ではなく浴槽側にセットされる可動フレーム３に取り付けられるので、押圧部５及び押圧部５を担持したボルト６３を螺進退させるためのハンドルノブ６２の浴槽内への突出量は極力抑えられている。このため、本実施形態の浴槽用手摺り１では、上述した２種類の押圧部の移動装置のうち、回転させても可動フレーム３に対するハンドルノブ６２の位置が変わらない前者のタイプの移動装置６が採用されている。
【符号の説明】
【０１０４】
１・・・・・浴槽用手摺り
２・・・・・固定フレーム
２０・・・・補強リブ
２１・・・・載置部
２１０・・・樹脂ラバー
２１１・・・固定用ネジ穴
２１２・・・ガイド用ネジ穴
２１３・・・底面
２２・・・・当接基部
２３・・・・当接部
２３０・・・樹脂ラバー
２３１・・・案内部
２４・・・・メイングリップ
２４０・・・上部グリップ
２４１・・・固定孔
２４２・・・グリップ支持部
２５・・・・脚部
２５０・・・ネジ
２５１・・・主脚部
２５２・・・補助脚部
２６・・・・保護カバー
２７・・・・挿入・解除手段
２７０・・・挿入ピン
２７１・・・つまみ
２７２・・・付勢手段
２８・・・・延出部
２９・・・・グリップ支持部収容部
２９０・・・縮径部
２９１・・・ナット
３・・・・・可動フレーム
３１・・・・スライド部
３１０・・・スリット
３１１・・・貫通孔
３１２・・・ガイド用ネジ
３１３・・・固定用ネジ
３１４・・・開口
３２・・・・垂直部
３３・・・・サブグリップ
３４・・・・保護カバー
４・・・・・スカート
４１・・・・下端部
４２・・・・水平リブ
５・・・・・押圧部
５０・・・・押圧部本体
５００・・・凹部
５０１・・・固定穴
５０２・・・ネジ
５１・・・・樹脂ラバー
５１０・・・凸部
６・・・・・移動装置
６１・・・・ナット
６１０・・・フランジ
６１１・・・第２の係止手段（凹部）
６１２・・・胴部
６２・・・・ハンドルノブ
６２０・・・キャップ
６２１・・・拡径部
６２２・・・上下ハンドル固定カバー
６２３・・・第１の係止手段（凹部）
６３・・・・ボルト
６４・・・・トルク伝達・遮断手段
６５・・・・環状部材
６５０・・・トルク伝達面
６６・・・・第２の環状部材
６６０・・・トルク伝受面
６７・・・・付勢手段
６８・・・・ワッシャー
６９・・・・フランジ部材
６９０・・・カバー
６９１・・・ネジ
７・・・・・スリット
【図１】
2019054893.tif 000003
【図２】
2019054893.tif 000004
【図３】
2019054893.tif 000005
【図４】
2019054893.tif 000006
【図５】
2019054893.tif 000007
【図６】
2019054893.tif 000008
【図７】
2019054893.tif 000009
【図８】
2019054893.tif 000010